(57)【要約】【課題】センサの清掃において、ユーザーやメンテナンス作業員の手を煩わせることのない、低コストな画像形成装置を提供する。【解決手段】中間転写体１５の転写ベルト２３に対向する濃度センサ１６を清掃する清掃部材２２をロッド部２１の一端部に設け、ロッド部２１の他端部に被係止用凹部２１Ｂを設け、メンテナンス用ドア部２０側に、このメンテナンス用ドア部２０の開閉動作に伴って、被係止用凹部２１Ｂに係脱可能に係止される係止部材３１を設けた。【選択図】      図２
2005043468.tif 000002
【特許請求の範囲】
【請求項１】
画像形成が行われる画像形成部と、前記画像形成部で形成された画像形成状態を検出するセンサと、前記センサの検出面を移動に伴って清掃する清掃部材と、前記清掃部材に一端側が固設されたロッド部と、前記ロッド部の他端側に駆動力を伝える、画像形成装置本体側に開閉自在に設けられたメンテナンス用ドア部と、を有する画像形成装置であって、
前記メンテナンス用ドア部に、ドア閉動作に伴って前記ロッド部に結合して該ロッド部を押し込み、且つドア開動作に伴って前記ロッド部を所定長さ引き出した後に結合を解除する結合部材が設けられていることを特徴とする画像形成装置。
【請求項２】
前記画像形成部で形成された画像が転写される中間転写体を備え、
前記センサは、前記中間転写体上に転写された画像形成状態を検出することを特徴とする請求項１記載の画像形成装置。
【請求項３】
前記ロッド部材は、前記画像形成装置本体側に長手方向に沿って摺動可能に支持されると共に、前記メンテナンス用ドア部のドア開動作に伴って前記結合部材により所定長さ引き出されたときに前記画像形成装置本体側に係当して引き出し移動を規制するストッパを備えていることを特徴とする請求項１又は請求項２に記載された画像形成装置。
【請求項４】
前記結合部材の先端部と、前記ロッド部の他端部とのうち、少なくとも一方に、移動方向と略直角をなす方向に向けて係止用突部が突設され、
他方に、前記係止用突部が収容される被係止用凹部が形成され、
前記係止用突部に、前記被係止用凹部との脱離動作及び係止動作の際に、前記被係止用凹部の他端側壁部を乗り越える傾斜面が形成されていることを特徴とする請求項１乃至請求項３のいずれか一項に記載された画像形成装置。
【請求項５】
前記清掃部材は、前記メンテナンス用ドア部の開閉に伴い、前記センサの検出面を接触しながら通過し、前記メンテナンス用ドア部のドア閉状態で前記検出面から外れた位置にあることを特徴とする請求項１乃至請求項４のいずれか一項に記載された画像形成装置。
【請求項６】
前記メンテナンス用ドア部は、廃トナー容器の出し入れを行う箇所に設けられていることを特徴とする請求項１乃至請求項５のいずれか一項に記載された画像形成装置。
【発明の詳細な説明】
【０００１】
【発明の属する技術分野】
本発明は、画像形成を制御するためにトナー濃度等の状態を検出するセンサを備えた画像形成装置に関するものである。
【０００２】
【従来の技術】
複写機、プリンタ、ファクシミリ等の画像形成装置では、適正な画像維持のために、トナー濃度を検出してその検出データに基づいて画像濃度制御が行われている。特に、近年普及の目覚ましいカラーの画像形成装置においては、トナーを４色使うため、各色のトナーの使用量の比率の違いや、色合わせのスペック要求の厳しさから、適正画像を維持するために濃度センサが必須となってきている。この濃度センサは、画像形成装置において画像が形成された後、転写されるまでの間の感光体又は中間転写体の表面のトナー濃度の検出を行っている。このため、濃度センサは、トナーが付着する感光体又は中間転写体の表面近傍に配置されている。このような濃度センサとしては、発光素子から出射した光を、感光体又は中間転写体の表面で反射させてその反射光を受光素子で検出して濃度検出を行うものがある。
【０００３】
従来の画像形成装置では、上述の感光体や中間転写体に付着するトナーの吸着力が弱いため、濃度センサの受光面が、飛散したトナーで汚れてセンサの感度が低下してしまうという問題点があった。
【０００４】
このような濃度センサの汚れ対策としては、ユーザーやメンテナンス作業員等が任意に手作業で濃度センサの清掃を行ったり、電磁ソレノイドで清掃機構を駆動させるものがある（例えば、特許文献１参照。）。また、他の対策として、図８に示すように、複写機等の本体側枠１０１に開閉自在に設けられたドア１０２の開閉動作に伴って、払拭部材１０４が設けられたロッド１０５を進退させて濃度センサ１０３の受光面１０３Ａを清掃するようにしたものがある。
【０００５】
【特許文献１】
特開昭６１−７３１７４号公報（第１〜２頁、第１図）
【０００６】
【発明が解決しようとする課題】
しかしながら、上記した特許文献１のように電磁ソレノイド等の駆動源を備えた清掃装置を別途設けるとい画像形成装置では、コスト高になるという問題点があった。
【０００７】
また、図８に示した清掃機構にあっては、ロッド１０５がコイルバネ１０６で本体側枠１０１の外側方向に向けて付勢されるように進退自在に設けられているが、通常はドア１０２が閉じられているため、コイルバネ１０６が圧縮された状態に保持されている。このような機構の場合、払拭部材１０４を動作させるバネ力は、具体的には約５００ｇ程度であり、ドア１０２に常時負荷がかかっている。このため、例えば樹脂成形されたドア１０２では、負荷に耐え得る強度が要求されるものであった。このような清掃機構を備えた画像形成装置では、コスト増を抑える点と、設計の自由度を図るという点で改良の余地があった。
【０００８】
そこで、本発明は、ユーザー及びメンテナンス作業員の手を煩わせることがなく、且つ電気的な駆動力を要する新たな清掃装置を設けることなく、適切な清掃を行うことができる画像形成装置を提供することを目的としている。
【０００９】
【課題を解決するための手段】
請求項１記載の発明は、画像形成が行われる画像形成部と、前記画像形成部で形成された画像形成状態を検出するセンサと、前記センサの検出面を移動に伴って清掃する清掃部材と、前記清掃部材に一端側が固設されたロッド部と、前記ロッド部の他端側に駆動力を伝える、画像形成装置本体側に開閉自在に設けられたメンテナンス用ドア部と、を有する画像形成装置に関するものである。この発明に係る画像形成装置は、前記メンテナンス用ドア部に、ドア閉動作に伴って前記ロッド部に結合して該ロッド部を押し込み、且つドア開動作に伴って前記ロッド部を所定長さ引き出した後に結合を解除する結合部材が設けられていることを特徴としている。
【００１０】
請求項２記載の発明は、請求項１記載の画像形成装置に関するものである。この発明に係る画像形成装置は、前記画像形成部で形成された画像が転写される中間転写体を備え、前記センサは、前記中間転写体上に転写された画像形成状態を検出することを特徴としている。
【００１１】
請求項３記載の発明は、請求項１又は請求項２に記載された画像形成装置に関するものである。この発明に係る画像形成装置は、前記ロッド部材が、前記画像形成装置本体側に長手方向に沿って摺動可能に支持されると共に、前記メンテナンス用ドア部のドア開動作に伴って前記結合部材により所定長さ引き出されたときに前記画像形成装置本体側に係当して引き出し移動を規制するストッパを備えていることを特徴としている。
【００１２】
請求項４記載の発明は、請求項１乃至請求項３のいずれか一項に記載された画像形成装置に関するものである。この発明に係る画像形成装置は、前記結合部材の先端部と、前記ロッド部の他端部とのうち、少なくとも一方に、移動方向と略直角をなす方向に向けて係止用突部が突設され、他方に、前記係止用突部が収容される被係止用凹部が形成され、前記係止用突部に、前記被係止用凹部との脱離動作及び係止動作の際に、前記被係止用凹部の他端側壁部を乗り越える傾斜面が形成されていることを特徴としている。
【００１３】
請求項５記載の発明は、請求項１乃至請求項４のいずれか一項に記載された画像形成装置に関するものである。この発明に係る画像形成装置は、前記清掃部材が、前記メンテナンス用ドア部の開閉に伴い、前記センサの検出面を接触しながら通過し、前記メンテナンス用ドア部のドア閉状態で前記検出面から外れた位置にあることを特徴としている。
【００１４】
請求項６記載の発明は、請求項１乃至請求項５のいずれか一項に記載された画像形成装置に関するものである。この発明に係る画像形成装置は、前記メンテナンス用ドア部が、廃トナー容器の出し入れを行う箇所に設けられていることを特徴としている。
【００１５】
【発明の実施の形態】
以下、本発明の実施の形態を図面に基づいて説明する。ただし、図面は模式的なものであり、各部材の寸法の比率などは現実のものとは異なることに留意すべきである。また、図面相互間においても互いの寸法の関係や比率が異なる部分が含まれている。なお、以下の実施の形態は、カラー画像形成装置（以下、画像形成装置という。）に本発明を適用した例であるが、これに限定されるものではない。
【００１６】
図１は本発明の実施の形態に係る画像形成装置の概略構成を示す説明図、図２はメンテナンス用ドア部と清掃部材との位置関係を示す斜視図、図３は図２において丸で囲んだ部分の拡大斜視図、図４はメンテナンス用ドア部を内側から見た状態を示す斜視図、図５（ａ）〜（ｃ）はメンテナンス用ドア部の開動作に伴う係止部分の状態を示す部分断面図、図６（ａ）〜（ｃ）はメンテナンス用ドア部の閉動作に伴う係止部分の状態を示す部分断面図、図７（ａ）及び（ｂ）はセンサと清掃部材との動作を示す部分断面図である。
【００１７】
（画像形成装置の概略構成）
図１に示すように、本実施の形態に係る画像形成装置１は、画像形成装置本体２内に、図示しない給紙カセットと、感光体ドラム３と、光走査ユニット４と、帯電器５と、クリーニング装置６と、トナーコンテナ７、８、９を含んだ現像器１０、１１、１２と、トナーコンテナ１３から感光体ドラム３の側方を経由する図示しない供給通路を介してトナーが供給される現像器１４と、中間転写体１５と、中間転写体１５の表面に対向するように配置された濃度センサ１６と、２次転写ローラ１７と、定着器１８と、画像が転写されたシート状の記録材としてのプリント用紙（図示省略する。）を定着器１８に搬送する無端ベルトを用いたベルト搬送路１９等、を備えて大略構成されている。
【００１８】
特に、図２に示すように、本実施の形態に係る画像形成装置１は、画像形成装置本体２に開閉自在に設けられたメンテナンス用ドア部２０と、このメンテナンス用ドア部２０に連係して動作するロッド部２１と、ロッド部２１の端部に固設され、濃度センサ１６を清掃する清掃部材２２と、を備えることを特徴としている。なお、メンテナンス用ドア部２０に連係したロッド部２１と清掃部材２２等の詳細な構成は後述する。
【００１９】
（画像形成系及び中間転写体の説明）
ここで、メンテナンス用ドア部２０に連係する濃度センサ１６の清掃機構の説明に先駆けて、上述した感光体ドラム３とその周囲に配置された機器でなる画像形成系及び中間転写体１５の概略について説明する。
【００２０】
光走査ユニット４は、図示しない制御回路により動作を切り換え、図示しない画像データ出力手段により出力される画像データに従ってレーザビームを出射するようになっている。この光走査ユニット４は、このレーザビームを帯電器５で帯電された感光体ドラム３に照射し、感光体ドラム３に静電潜像を形成する。
【００２１】
このとき、光走査ユニット４は、図示しないタイミングジェネレータで生成された垂直同期信号を基準にして中間転写体１５の回転に同期してレーザビームを照射し、第１の印刷周期における中間転写体１５の初めの１回転で感光体ドラム３にシアン用の静電潜像を形成する。さらに続く中間転写体１５の第２の１回転で感光体ドラム３にマゼンタ用の静電潜像を形成し、続く中間転写体１５の第３及び第４の１回転で感光体ドラム３にイエロー用、ブラック用の静電潜像を形成する。
【００２２】
また、上記の処理において、光走査ユニット４は、タイミングジェネレータより出力される水平同期信号を基準にして、内蔵の図示しないポリゴンスキャンミラーを回転駆動し、これにより各静電潜像の１のラインを形成する。また、同様に、タイミングジェネレータより出力されるクロック信号を基準にしてレーザビームの光量を立ち上げ、これによりこのクロック信号の所定周期を単位にして印刷結果の印刷単位であるドットを形成する。
【００２３】
感光体ドラム３は、図示しないモータの駆動により図１に示す矢印Ａの方向に回転される。この感光体ドラム３の周囲に配置された、シアン、マゼンタ、イエロー、ブラックのカラートナーを使用する現像器１０、１１、１２、１４は、それぞれ感光体ドラム３の表面電位差に応じてトナーを飛翔させて、これにより感光体ドラム３の表面に静電潜像に従ったシアン用、マゼンタ用、イエロー用、ブラック用のトナー像を形成する。
【００２４】
また、感光体ドラム３における中間転写体１５が配置された位置の下流側（矢印Ａの下流側）に配置されたクリーニング装置６は、感光体ドラム３のトナー像を中間転写体１５に転写した後に残った余分なトナーを除去する。また、このクリーニング装置６の下流側には、図示しない除電ランプが配置されており、この除電ランプにより感光体ドラム３を除電するようになっている。
【００２５】
中間転写体１５は、感光体ドラム３に接してニップ部１５Ａが形成されている。中間転写体１５は、このニップ部１５Ａにおいて感光体ドラム３のトナー像が転写されるようになっている。
【００２６】
ここで、中間転写体１５は、例えばポリウレタンにフッ素樹脂がコートされてなる無端状の転写ベルト２３で構成されている。図１に示すように、この転写ベルト２３は、駆動ローラ２４、一対の一次転写ローラ２５、２６、二次転写ローラ２７等に巻き掛けるられている。そして、この転写ベルト２３は、駆動ローラ２４によって図１において矢印Ｂで示す方向に回転するようになっている。
【００２７】
これらローラのうち、ニップ部１５Ａの上流側と下流側とに配置された一対の一次転写ローラ２５、２６は、所定の電位に保持されている。この電位により、例えばカラー画像により印刷結果を出力する場合、感光体ドラム３に形成されたトナー像を順次転写ベルト２３に転写して、マゼンタ、シアン、イエロー、ブラックのトナー像を重ね合わせるようになっている。
【００２８】
（濃度センサとその清掃機構の構成）
図１及び図２に示すように、濃度センサ１６は、その検出面（図７参照。）が中間転写体１５における二次転写ローラ２７の上流側の転写ベルト２３の外側面に対向するように配置されている。図２及び図４に示すように、この濃度センサ１６は、画像形成装置本体２側に取付フレーム２８によって固設されている。図４に示すように、この取付フレーム２８は、清掃部材２２のガイドも兼ねている。すなわち、清掃部材２２は、取付フレーム２８に摺動自在に支持されている。なお、本実施の形態において、清掃部材２２の摺動方向は、この清掃部材２２に一端が固設されたロッド部２１の長手方向と同じ方向に設定されている。また、清掃部材２２において濃度センサ１６の検出面１６Ａと接触する部分には、トナー粉末を払拭する部材としてのブラシ２２Ａが設けられている。なお、このようなブラシ２２Ａに代えて、スポンジ状の払拭材や柔らかい不織布等を用いても勿論よい。
【００２９】
図５に示すように、ロッド部２１は、画像形成装置本体２側の壁部２Ａに貫通するように嵌合されている。また、ロッド部２１の所定位置には、このロッド部２１が壁部２Ａから引き出す方向へ抜けるのを防止する突起状の内側ストッパ部２１Ａが突設されており、ロッド部２１の他端近傍に壁部２Ａの外側面に当接する外側ストッパ部２１Ｃが形成されている。これら内側ストッパ部２１Ａと外側ストッパ部２１Ｃは、ロッド部２１の長手方向のスライド範囲を規定している。なお、このスライドの距離は、濃度センサ１６の検出面１６Ａと、清掃部材２２との位置関係により設定されている。すなわち、図７（ａ）に示す清掃部材２２の位置と同図（ｂ）に示す清掃部材２２の位置との変位距離Ｌが、上述したスライドの距離となるように設定されている。
【００３０】
そして、このロッド部２１の他端部分には、図３、図５及び図６に示すように、被係止用凹部２１Ｂが形成されている。この被係止用凹部２１Ｂは、ロッド部２１の長手方向と直角をなす方向に陥没した形状である。また、被係止用凹部２１Ｂの他端側は、立ち上がり壁部２１Ｄとなっている。
【００３１】
次に、上述したロッド部２１及び清掃部材２２と連係するメンテナンス用ドア部２０側の構成について説明する。先ず、メンテナンス用ドア部２０は、画像形成装置本体２の側面に設けられ、画像形成装置本体２に内蔵される、例えば廃トナー容器（図示省略する。）の出し入れや、内部機器のメンテナンスに必要な開口部として供されるものである。このメンテナンス用ドア部２０は、図４に示すように、幅方向Ｗの一方側の上部及び下部にそれぞれ、画像形成装置本体２側に回動自在に支持される支持軸２９が突設されている（図４は画像形成装置本体２を省略してメンテナンス用ドア部を示している。）。
【００３２】
また、メンテナンス用ドア部２０の幅方向Ｗの他方側には、ドア開閉操作を行うための把持部３０が設けられている。さらに、メンテナンス用ドア部２０における把持部３０の近傍の内側面には、上述したロッド部２１の他端部と係止可能な結合部材としての係止部材３１が突設されている。図３、図５及び図６に示すように、係止部材３１の先端部には、ロッド部２１の他端部に係止される係止突起３１Ａが突設されたアーム部３１Ｂが設けられている。
【００３３】
なお、この係止部材３１は、例えば樹脂材料で成形されたものであり、少なくともアーム部３１Ｂが弾性（反発性）を有しているが、ロッド部材２１が弾性を有している。また、この係止部材３１は、メンテナンス用ドア部２０と一体成形としてもかまわない。この係止突起３１Ａは、ロッド部２１側の被係止用凹部２１Ｂに収容されて係止状態となる。そして、この係止突起３１Ａは、前傾斜面３１Ａ１と後傾斜面３１Ａ２とを有しており、これらの前後傾斜面３１Ａ１、３１Ａ２が、ロッド部２１の他端部に形成された立ち上がり壁部２１Ｄを乗り越えることで、係止部材３１とロッド部２１とが係止状態又は離脱状態となる。
【００３４】
（清掃機構の作用、動作）
次に、上述したメンテナンス用ドア部２０とこれに連係する清掃機構の作用及び動作について説明する。
【００３５】
先ず、メンテナンス用ドア部２０の開動作を行う場合について説明する。この開動作は、画像形成装置１内の例えば廃トナー容器などの出し入れや各種のメンテナンス等を行う場合に必要となる。
【００３６】
（イ）把持部３０を持ってメンテナンス用ドア部２０を図４に示す矢印Ａの外側方向へ回動させて開き始めた状態では、図５（ａ）に示すように、ロッド部２１の他端側の被係止用凹部２１Ｂ内に係止突起３１Ａが収容された結合状態となっている。
【００３７】
（ロ）さらに、メンテナンス用ドア部２０を開くと、図５（ｂ）に示すように、ロッド部２１が図４に示す矢印Ｂの外側へ向けて移動する。
【００３８】
（ハ）続いて、メンテナンス用ドア部２０をさらに開くと、ロッド部２１に突設された内側ストッパ部２１Ａが、壁部２Ａに当たりロッド部２１のスライド動作が規制される。すると、アーム部３１Ｂが撓みつつ、係止突起３１Ａの後傾斜面３１Ａ２が立ち上がり壁部２１Ｄを乗り越えることで、係止部材３１の係止突起３１Ａが被係止用凹部２１Ｂから離脱する。
【００３９】
上記した（イ）〜（ハ）の動作の間には、ロッド部２１のスライド動作に伴い、清掃部材２２は、図７（ａ）に示す位置から同図（ｂ）に示す位置に移動して、ブラシ２２Ａで濃度センサ１６の検出面１６Ａを払拭して、付着しているトナー粉末等の汚れを取り除くことができる。
【００４０】
次に、メンテナンス用ドア部２０の閉動作を行う場合について説明する。
（ニ）メンテナンス用ドア部２０がある程度まで閉じる前は、図６（ａ）に示すように、係止部材３１とロッド部２１とは、離脱した状態である。
【００４１】
（ホ）さらに、メンテナンス用ドア部２０が閉じて、係止部材３１の先端の前傾斜面３１Ａ１が立ち上がり壁部２１Ｄに当接すると、ロッド部２１は図６（ｂ）に示す矢印の方向へスライドする。
【００４２】
（ヘ）そして、メンテナンス用ドア部２０を完全に閉じると、ロッド部２１の外側ストッパ部２１Ｃが側壁部２Ａに当たってスライド動作が規制されて、係止突起３１Ａの前傾斜面３１Ａ１が立ち上がり壁部２１Ｄを乗り越えて、被係止用凹部２１Ｂ内に係止突起３１Ａが収容される。
【００４３】
上記した（ニ）〜（ヘ）の動作の間には、ロッド部２１のスライド動作に伴い、清掃部材２２が図７（ｂ）に示す位置から同図（ａ）に示す位置に戻る。この移動に伴ってブラシ２２Ａが濃度センサ１６の検出面１６Ａを払拭して再度清掃を行う。
【００４４】
このような本実施の形態に係る画像形成装置１では、準定期的に行われる廃トナー容器の出し入れ等の際のメンテナンス用ドア部２０の開閉を行うだけで、ユーザー及びメンテナンス作業員の手を煩わせることがなく、確実に濃度センサ１６の検出面１６Ａの清掃を行うことができ、濃度センサ１６の感度が劣化することを防止できる。
【００４５】
また、本実施の形態に係る画像形成装置１では、別途電気的な駆動力を要する新たな清掃装置を設ける必要がないため、低コストで確実なメンテナンスが可能となる。
【００４６】
［その他の実施の形態］
上記の本発明の実施の形態の開示の一部をなす論述及び図面はこの発明を限定するものであると理解するべきではない。この開示から当業者には様々な代替実施の形態及び運用技術が明らかとなろう。
【００４７】
例えば、上述の実施の形態では、感光体ドラム３で形成したトナー像を転写ベルト２３を用いた中間転写体１５に転写する構成としたが、ドラム状の中間転写体を用いてもよい。
【００４８】
また、上述の実施の形態では、濃度センサ１６を中間転写体１５に転写されたトナー像の状態を検出するように設定したが、中間転写体を介さずに感光体ドラムから直接プリント用紙にトナー像を転写する画像形成装置では、感光体ドラムにおけるトナー像の状態を濃度センサで検出するように設定しても勿論よい。
【００４９】
さらに、上述の実施の形態では、ロッド部２１と係止部材３１との係止が、被係止用凹部２１Ｂと係止突起３１Ａとで行われる構成としたが、結合状態と離脱態とを実現できるあらゆる結合構造や、例えば永久磁石等の結合部材を適用できることは言うまでもない。
【００５０】
また、上述の実施の形態では、センサとして濃度センサ１６に本発明を適用して説明したが、他のセンサにも本発明を適用できることは云うまでもない。
【００５１】
【発明の効果】
以上の説明から明らかなように、本発明によれば、ユーザー及びメンテナンス作業員の手を煩わせることがなく、確実にセンサの清掃を行うことができる画像形成装置を実現することができる。
【００５２】
また、本発明によれば、別途電気的な駆動力を要する新たな清掃装置を設ける必要がないため、低コストで確実なメンテナンスが可能となる。
【図面の簡単な説明】
【図１】本発明の実施の形態に係る画像形成装置の概略構成図である。
【図２】本発明の実施の形態に係る画像形成装置におけるメンテナンス用ドア部と清掃機構を示す斜視図である。
【図３】図２の円で囲んだ部分の拡大斜視図である。
【図４】本発明の実施の形態に係る画像形成装置におけるメンテナンス用ドア部と清掃機構をドア内側から見た状態を示す斜視図である。
【図５】（ａ）〜（ｃ）はメンテナンス用ドア部の開動作に伴う係止部材とロッド部との関係を示す断面図である。
【図６】（ａ）〜（ｃ）はメンテナンス用ドア部の閉動作に伴う係止部材とロッド部との関係を示す断面図である。
【図７】（ａ）及び（ｂ）は本実施の形態の清掃部材の動作っを示す断面図である。
【図８】従来の清掃機構を示す図である。
【符号の説明】
１……画像形成装置、２……画像形成装置本体、３……感光体ドラム、１０、１１、１２、１４……現像器、１５……中間転写体、１６……濃度センサ（センサ）、１６Ａ……検出面、２０……メンテナンス用ドア部、２１……ロッド部、２１Ａ……内側ストッパ部、２１Ｂ……被係止用凹部、２１Ｃ……外側ストッパ部、２１Ｄ……立ち上がり壁部、２２……清掃部材、２２Ａ……ブラシ、２３……転写ベルト、３１……係止部材（結合部材）、３１Ａ……係止突起、３１Ａ１……前傾斜面、３１Ａ２……後傾斜面、３１Ｂ……アーム部
【図１】
2005043468.tif 000003
【図２】
2005043468.tif 000004
【図３】
2005043468.tif 000005
【図４】
2005043468.tif 000006
【図５】
2005043468.tif 000007
【図６】
2005043468.tif 000008
【図７】
2005043468.tif 000009
【図８】
2005043468.tif 000010